(57)【要約】  本発明は、特に錠剤（８）又は丸剤を収容する薬剤パッケージである封入ブリスターパッケージに関する。このパッケージは、最も好ましくは板紙からできた平坦な外側ケース（１）と、外側ケースから部分的に抜き出し可能な内側部品（２）とを有し、内側部品は、ベース（５）上に回転可能に取り付けられるブリスターパッケージとして形成されるディスク（７）を備える。ベースは、出口開口又は同様のものを有することにより、ディスクを回転させることにより開口まで運ばれた錠剤をディスクから押し出して開口を通してパッケージから取り出すことができる。
2007534346.tif 000002
【特許請求の範囲】
【請求項１】
封入ブリスターパッケージであって、少なくとも一辺から開く平坦な外側ケース（１）と、少なくとも部分的に抜き出し可能な内側部品（２）とを有し、該内側部品（２）は、ベース（５）上に回転可能に嵌まるブリスターパッケージとして形成されるディスク（７）を備え、前記ベース（５）は、ブリスター（１５）を押すと前記ディスクから解放される製品（８）がパッケージから出ることができるように、前記ディスクの下で部分的に開くことを特徴とする、封入ブリスターパッケージ。
【請求項２】
前記ケース（１）及び／又は前記内側部品（２）には、該内側部品が前記ケースから外れることを防止するリテーナ（１１、１２）が設けられることを特徴とする、請求項１に記載の封入ブリスターパッケージ。
【請求項３】
前記ディスク（７）は、軟質プラスチックのブリスターシート（１３）と、押すことにより前記製品（８）が解放される際に破断する、箔紙等の軟質材料からできた底部（１４）とから成ることを特徴とする、請求項１又は２に記載の封入ブリスターパッケージ。
【請求項４】
前記ベース（５）には、出口開口（９）が設けられることにより、該出口開口にある前記製品（８）を前記ディスク（７）から押し出し、前記出口開口を通してパッケージから取り出すことができることを特徴とする、先行する請求項のいずれか１項に記載の封入ブリスターパッケージ。
【請求項５】
前記ディスク（７）は、該ディスクを回転させることにより一度に１つずつ前記ベース（５）の前記出口開口（９）まで運ぶことができるように円弧又は環を形成するよう配列される個々の製品（８）を収容することを特徴とする、先行する請求項のいずれか１項に記載の封入ブリスターパッケージ。
【請求項６】
前記製品（８）は、前記ディスク（７）に複数の同心円弧又は同心環として配置されることを特徴とする、請求項５に記載の封入ブリスターパッケージ。
【請求項７】
前記製品（８）は、前記ディスク（７）に螺旋として配列されることを特徴とする、請求項１ないし４のいずれか１項に記載の封入ブリスターパッケージ。
【請求項８】
前記ベース（５）には、前記ディスク（７）の半径方向に延びる縦長の出口開口（９）が設けられることを特徴とする、先行する請求項のいずれか１項に記載の封入ブリスターパッケージ。
【請求項９】
前記ディスク（７）及び／又は前記ベース（５）は、前記ディスク（７）を一方向のみに回転させる障害物を含むことを特徴とする、先行する請求項のいずれか１項に記載の封入ブリスターパッケージ。
【請求項１０】
前記ディスク（７）は、前記製品（８）が充填されていない扇形部（１９）を含み、未開封のパッケージでは、前記扇形部（１９）は前記ベース（５）の前記出口開口（９）に位置付けられることを特徴とする、先行する請求項のいずれか１項に記載の封入ブリスターパッケージ。
【請求項１１】
前記ディスク（７）は、その中央部（６）から前記ベース（５）に接合される（articulated）ことを特徴とする、先行する請求項のいずれか１項に記載の封入ブリスターパッケージ。
【請求項１２】
前記抜き出し可能な内側部品（２）は、ベース（５）と、該ベース（５）の側部（１０）から前記ディスク（７）の上方に延びる、前記ディスク（７）を前記ベース（５）上の所定の位置に保持する突起（２０）とを備えることを特徴とする、請求項１ないし１０のいずれか１項に記載の封入ブリスターパッケージ。
【請求項１３】
前記ディスク（７）は、指で回転させることができるように前記ベース（５）上に回転自在に載ることを特徴とする、請求項１２に記載の封入ブリスターパッケージ。
【請求項１４】
前記突起（２０）は、前記ディスク（７）の円周を囲む環状リム（２０）として形成されることを特徴とする、請求項１２又は１３に記載の封入ブリスターパッケージ。
【請求項１５】
前記リム（２０）は、前記ディスク（７）の中心に向かって延びる舌片（２４）を有し、前記ディスク（７）の１つのブリスター（１５）が、前記リム（２０）の前記舌片の下に残ることを特徴とする、請求項１３に記載の封入ブリスターパッケージ。
【請求項１６】
前記リム（２０）は、前記舌片（２４）の側に少なくとも１つのフィン（２５）を有し、前記フィン（２５）は、前記ディスク（７）に向かって下方に向くとともに一方向のみに傾いていることにより、ブリスター（１５）と協働して、前記ディスク（７）を一方向のみに回転させることを特徴とする、請求項９及び１５に記載の封入ブリスターパッケージ。
【請求項１７】
前記外側ケース（１）及び前記内側部品（２）の前記ベース（５）は、パッケージング用板紙からできていることを特徴とする、先行する請求項のいずれか１項に記載の封入ブリスターパッケージ。
【請求項１８】
錠剤（８）、カプセル剤、又は丸剤を収容する薬剤パッケージであることを特徴とする、先行する請求項のいずれか１項に記載の封入ブリスターパッケージ。
【発明の詳細な説明】
【技術分野】
【０００１】
本発明は、特に錠剤、丸剤、及びカプセル剤の形態の薬剤の消費者用パッケージとして用いられる、封入ブリスターパッケージに関する。
【背景技術】
【０００２】
ブリスターパッケージは通常、箔紙等の脆性のフィルムタイプ材料から成るベースに積層される、粘性且つ軟質の透明プラスチックのカバー部品を備える。このプラスチックカバーは、当該カバーとベースとの間に空洞を形成するブリスター状の突起を有し、各突起には、錠剤又は同様のもの等の充填物が１つずつ収容される。カバーのプラスチック材料は、ブリスターが通常の状態ではその形状を維持するが、ブリスターを指で押すと、錠剤又は他の同様の物品を破断（breaking：開封）ベースを通してパッケージから押し出すことができるように変形するような、十分な剛性を有する。
【０００３】
薬剤パッケージとして用いられる本発明のブリスターパッケージは、通常は矩形であり、縦横の線状に配列された錠剤、丸剤、又は同様のものを含む。消費者用パッケージは、例えば板紙のケースに充填された１つ又は複数のこのようなブリスターパッケージから成る。
【０００４】
上記の薬剤パッケージから錠剤又は同様のものを抜き出すには、ケースを開けて、ブリスターパッケージをケースから引き出し、錠剤をブリスターパッケージから取り出し、最後にブリスターパッケージをケースに嵌め戻す必要がある。
【発明の開示】
【発明が解決しようとする課題】
【０００５】
本発明の目的は、錠剤又は同様のものを現在よりも単純且つ容易に抜き出すことができる封入ブリスターパッケージを実現することである。少なくとも一辺から開く平坦な外側ケースと、少なくとも部分的に抜き出し可能な内側部品とを有し、内側部品は、ベース上に回転可能に嵌まるブリスターパッケージとして形成されるディスクを備え、ベースは、ブリスターを押すことによりディスクから解放すべき製品をパッケージから取り出すことができるように、ディスクの下で部分的に開くことが、本発明のパッケージの特徴である。
【課題を解決するための手段】
【０００６】
本発明の封入パッケージの構造的基礎は、特許明細書である米国特許第６，０３２，７９５号に開示されている、外側ケースとＣＤを支持する部分的に抜き出し可能な内側部品とから成るＣＤパッケージであった。ＣＤの代わりに、本発明のパッケージは、ブリスター状の空洞に個別に充填される錠剤又は他の同様の物品を収容する、円盤状のブリスターパッケージである。上記明細書のＣＤパッケージとは対照的に、ディスクはベースから取り出されることが意図されていないが、解放すべき錠剤を、押すことによりディスクから解放することができる位置にいつでも運ぶことが可能であるように、ディスクがベースに対して回転することが重要である。
【０００７】
錠剤又は他の同様の物品を収容するディスク自体は、軟質プラスチックのブリスターシートと、押すことにより錠剤を取り出す際に破断する箔紙等の脆性材料のベースとから、従来の方法で形成することができる。
【０００８】
パッケージの抜き出し可能な部品に属するベースは、形成された出口開口を除いて密封されていることが最も適しているシートから成っていてもよく、ディスクを回転させることにより、パッケージから抜き出すべき錠剤を出口開口に配置することができ、出口開口を通して、ディスクから押し出された錠剤をパッケージから取り出すことができる。錠剤が円形ライン又は環としてディスク内に配列される場合、出口開口は比較的小さく、解放すべき錠剤の領域及びそのすぐ周りの領域のみを覆い得る。この場合、錠剤はディスクを回転させることにより出口開口まで運ぶことができ、一度に１つずつディスクから押し出すことができる。しかしながら、別の方法で、例えば複数の同心円状の円弧又は環として、又はおそらくディスクの中心を囲む螺旋として、錠剤をディスクに配置することも可能であり、螺旋の場合、ディスクの領域がパッケージ内でより効率的に用いられる。これらの場合、ベースには、ディスクの半径方向に縦長の出口開口を設けることができ、ディスク上の錠剤の場所に関係なく、この出口開口に錠剤を運んで解放することができる。
【０００９】
画定された出口開口を除いて、ディスクが接合される閉じた回転不可能なベースは、錠剤又は他の同様の充填物を解放しやすい硬い構造を形成する。しかしながら、本発明の範囲内で他の種類の構造も可能である。ディスクを支持するベースが、ディスクからこの開いた領域まで運ばれた錠剤の解放を阻止しないように開くことが重要である。本発明の一実施形態によれば、抜き出し可能なベースは回転不可能なフレームを備え、このフレームは、フレームに対して且つ互いに対して回転する２つの重なったディスクを支持し、ディスクのうち上側のディスクは、錠剤又は他の同様の物品を収容するブリスターパッケージを形成し、下側のディスクには、錠剤を押し出すことを可能にする出口開口が設けられる。この場合、錠剤を解放するには、重なったディスクを互いに対して回転させることにより、錠剤と出口開口とを位置合わせする必要がある。
【００１０】
本発明のさらなる実施形態によれば、錠剤又は同様の物品は、錠剤が全く入っていない扇形部（sector）がディスクに残っているように、ブリスターパッケージを形成するディスク上に配列される。これは、錠剤を解放するためにベース及びディスクをケースから抜き出すだけでは十分ではなく、ディスクをベースに対してさらに回転させなければ錠剤がパッケージから出ることができないように、パッケージを製造する際に上記扇形部を、それ以外の時は閉じているベースの出口開口に配置するということである。これは、２つの重なったディスクから成る上記解決手段と同様に、特に子供の安全性の観点から薬剤パッケージに適している。
【００１１】
ディスクは、ディスクをその中央部からベースに接合することにより、ベースに回転可能に接続することができる。ベースは、指で押すことによりディスクが回転する中心となる継手ピンを備えることができる。
【００１２】
代替的に、抜き出し可能な内側部品には、ベースの側部からディスク上に延びてディスクをベース上の所定の位置に保持するリテーナを設けることができる。このようなリテーナは、例えばディスクの円周を囲む環状リムとして作製することにより、ディスクの縁がシート状のベースとリムとの間に残るようにすることができる。ディスクとベースとの間の上記継手はこの実施形態では必要ないが、ディスクはベース上に自在に（freely）載り、指で押すことにより回転させることができる。
【００１３】
本発明は、ディスク及び／又はベースに突起又は他の何らかの障害物を配置して、ディスクを一方向のみに回転させるように適用することも有利であり得る。一実施態様は、ディスクを囲む上記リムに、ディスクの中心に向かって延びる舌片を設けることであり、この舌片は、ディスクに向かって下方に延びるとともに一方向のみに傾いた（turning）少なくとも１つのフィンを有し、ディスクのブリスターはその傾いた方向には通過できるが、ディスクの回転とは逆の方向には通過できない。この解決手段は、消費者が錠剤又は同様のものをディスクに位置付けされた順にパッケージから解放するのに役立つ。
【００１４】
上記明細書の米国特許第６，０３２，７９５号によるＣＤケース、同じく本発明の封入パッケージとして、排除される（excluded）ディスクは、使用後に処分される使い捨ての消費者用パッケージのための安価な再生可能材料である、パッケージ用板紙から製造することができる。
【００１５】
次に、添付図面を参照して、本発明を例を用いてより詳細に説明する。
【発明を実施するための最良の形態】
【００１６】
図１及び図２に示す本発明の封入薬剤パッケージは、平坦な矩形の外側ケース１及び抜き出し可能な内側部品２から成る。パッケージ用板紙を折り曲げて継ぎ合わせることにより製造された外側ケース１は、３つの閉じた側縁３及び開いた第４の前縁４を有し、前縁４から内側部品２を抜き出すことができる。ケース１に対応して、内側部品２は、主に矩形のベース５及びベースにより支持されるディスク７を備え、ディスク７は、ベースの継手ピン６を中心に回転し、図の例示的な場合では医薬錠剤８である充填物を収容するブリスターパッケージを形成する。パッケージの底部を示す図２は、それ以外の時は閉じているベース５に形成された出口開口９を示し、出口開口９は、ディスク７から解放される錠剤８をパッケージから取り出すことを可能にする。
【００１７】
シート状のベース５は、内側部品２がケース１に押し込まれる密封パッケージにおいて、折り返し１０がケースの開いた縁４を閉じる側縁を形成するように、一辺から折り返されている。断面図である図３から、ベース５の折り返し１０の反対側の縁にも同様の折り返し１１が設けられているのを見ることができる。この折り返し１１は、ケース１の開いた縁４の内側折り返し１２と協働して、内側部品２が抜き出しに関連してケースから外れることを防止する。これにより、使用時にパッケージが一体品のままであることが確実になり、これは使用を簡単にするのに重要な前提条件である。ベース５は、側部１０、１１を折り返し、錠剤用の出口開口９を打ち抜く（cutting）ことにより、パッケージ用板紙のシートから製造することができる。
【００１８】
錠剤８を解放する際の円盤状のブリスターパッケージ７の構造及び動作を、図４及び図５に示す。ディスク７は、プラスチック材料のブリスターシート１３から成り、ブリスターシート１３には薄いベースフィルム１４が積層されている。ブリスターシート１３は、シート１３とベース１４との間に充填錠剤８を１つずつ収容する空洞１６を形成するようにする突起（ブリスター）１５を有する。ブリスターシート１３は、通常の状態ではその形状を維持するが、ブリスター１５を指で押すと力が錠剤８に加わってさらにその下のベースフィルム１４まで加わるように曲がる、比較的剛性のプラスチック材料からできている。ベースフィルム１４は、例えば、押すと破断することにより、錠剤８が解放されて図５によるベースの下の出口開口９を通してパッケージから出ることを可能にする、脆性の箔紙からできている。
【００１９】
図６の円盤状のブリスターパッケージ７の構造は、ディスク７を補強する板紙シート１７が箔紙又は同様の材料の破断箔１４の下に積層されているという点で、図４及び図５に示すものとは異なる。シート１７は、ベース５の出口開口９に対応する開口１８を、錠剤８及びブリスター１５の場所にそれぞれ有する。図６は、錠剤８の入ったブリスター１５がベースの出口開口９に到着しようとしている状態の、ディスク７の回転を示す。
【００２０】
図２、図４、図５、及び図６では、ベース５に形成された出口開口９が比較的小さく、錠剤８を収容するブリスター１５及びそのすぐ周りのディスク７の領域のみを覆う。錠剤８の入ったブリスター１５が図１又は図７によるディスク７を囲む環として配列される円盤状のブリスターパッケージには、このような出口開口９で十分である。ディスク７を回転させることにより、錠剤８をベース５の出口開口９まで運んで、一度に１つずつ開口を通してパッケージから取り出すことができる。ベース５は、例えば、継手ピン６に接続されるあご又は他の何らかの適当な機構（図示せず）を有して、ディスク７をベース上で一方向のみに回転させることができる。これにより、消費者が錠剤８をディスク７に位置付けされた順に用いることができるようになる。
【００２１】
図８及び図９は、錠剤８の入ったブリスター１５をディスク７に位置付けることができる、２つの代替的な構成を示す。図８では、錠剤８は、ディスクの中心を形成する継手ピン６を囲む螺旋として配列される。図９では、錠剤８は再び、二重の同心円状の円弧（two concentric, nested arcs of a circle）を形成する。この場合、ディスク７は、図９に破線で示す、錠剤８の入っていない空の扇形部１９を含む。完全に充填された未開封のパッケージでは、このようなディスク７は、上記扇形部１７がベース５の出口開口９に位置付けられるように配置され、この場合、第１の錠剤８をパッケージから解放するには、内側部品２を引き出すことに加えて、ディスク７をベース５に対して回転させる必要がある。図８及び図９によるディスク７の場合、螺旋状又は同心環状若しくは同心円弧状に配列された錠剤８それぞれをパッケージから解放するために開口９まで運ぶことができるように、ベース５の出口開口９は、ディスクの半径方向に縦長に延びるように設計されている。
【００２２】
図１１〜図１４の本発明の実施形態では、薬剤パッケージの抜き出し可能な内側部品２は、シート状のベース５及びそれにより支持されるディスク７に加えて、ベースの側部１０からディスク７に向かって内方に曲がってディスクの円周を囲む均一な環状リム２０を形成する突起を備える。リム２０は、錠剤８の入ったブリスター１５が１つを除いて見えるようにしながら、ディスク７の縁２１がリムの下でリムとベース５との間の空間に完全におさまるような寸法になっている。リムは、ディスクを所定の位置に保持するための上記の継手ピン６が必要ないように、ベース５にディスクを結合する。ディスク７は、ベース５上で、図１１の矢印２２に示す方向に指で回転させることができる。このような矢印は、パッケージのユーザをガイドするためにディスク７に明記されている。リム２０の縁には折り返し２３を設けることができ、折り返し２３は、一続きであってもよく、又は個別の舌状突起から成っていてもよく、垂直方向へのディスクの運動自由度を制限するためにディスク７に向かって延びる。継手ピンによる締結を除いて、ディスク７及びベース５は、図４及び図５に関連して上記に開示したものに構造的且つ動作的に対応し得ると言える。
【００２３】
図１１によれば、ディスク７の縁２１を覆うリム２０には、ディスクの中心に向かって半径方向に向いた舌片２４がさらに設けられる。ディスク７を回転させると、ディスク７の上に環として配列されたブリスター１５は、一度に１つずつ舌片２４の下を進む。図１４による舌片２４の両側には、ブリスター１５の進行方向にフィン２５が配置され、フィンはディスク７の表面に対して傾斜して延びる。フィン２５は、図１４に破線で示す位置に傾いていることによりブリスター１５を通過させることができるが、ディスク７を逆方向に回そうとするとブリスターの障害物となることにより、一方向に開くゲートとしての役割を果たす。したがって、舌片２４はそのフィン２５とともに、ディスク７をディスク上に矢印２２で示す方向のみに回転させることができ、これは、錠剤８の入ったブリスターをディスクに位置付けされた順に出口点９へ導くのに役立つ。この解決手段は、患者が或る所定の順序で摂取しなければならない互いに異なる錠剤から成る治療過程を含むパッケージに特に適している。
【００２４】
本発明の実施形態は、上記の例として開示されたものに限定されず、添付の特許請求の範囲内で変更することができることは、当業者には自明である。例えば、ディスク７の一部のみが見えるように、ケース１からの内側部品２の露出（output）を制限することが可能である。ディスクは、パッケージがより小型で、したがってより取り扱いやすいままで、ケースから約半分抜き出された状態でも依然として指で容易に回転可能である。
【図面の簡単な説明】
【００２５】
【図１】内側部品を抜き出した本発明による封入薬剤パッケージを示す図である。
【図２】抜き出した内側部品を底部から見た、図１のパッケージを示す図である。
【図３】図２の断面ＩＩＩ−ＩＩＩであり、パッケージの内側部品がケースから離脱することを防止する縁の折り返しを示す図である。
【図４】図２のパッケージの内側部品の部分断面ＩＶ−ＩＶであり、ベースの出口開口に配置された円盤状のブリスターパッケージに含まれる錠剤を示す図である。
【図５】他の点では図２と同様であるが、ディスクから押し出されて出口開口を通ってパッケージから出る錠剤を示す図である。
【図６】本発明の代替的な実施形態として図４及び図５の図から逸脱するディスクに含まれた錠剤が、ベースの出口開口の方まで回転する方法を示す図である。
【図７】充填された錠剤が環として配列される、本発明の一実施形態としてのブリスターパッケージとして形成されるディスクを示す図である。
【図８】本発明の代替的な実施形態において、錠剤が螺旋としてディスクに配列される。
【図９】本発明の実施形態において、ディスクが錠剤の入っていない空の扇形部を含むように、錠剤が２つの同心円状の円弧としてディスクに配列される。
【図１０】図２に対応しており、パッケージの底面を示し、ベースがディスクの半径方向に縦長の出口開口を有する本発明の一実施形態を示す。
【図１１】図１に示すものの代替形態としての、内側部品を抜き出した本発明の封入薬剤パッケージの上面図である。
【図１２】図１１の断面ＸＩＩ−ＸＩＩを示す図である。
【図１３】図１１の断面ＸＩＩＩ−ＸＩＩＩを示す図である。
【図１４】図１１の断面ＸＩＶ−ＸＩＶを示す図である。
【図１】
2007534346.tif 000003
【図２】
2007534346.tif 000004
【図３】
2007534346.tif 000005
【図４】
2007534346.tif 000006
【図５】
2007534346.tif 000007
【図６】
2007534346.tif 000008
【図７】
2007534346.tif 000009
【図８】
2007534346.tif 000010
【図９】
2007534346.tif 000011
【図１０】
2007534346.tif 000012
【図１１】
2007534346.tif 000013
【図１２】
2007534346.tif 000014
【図１３】
2007534346.tif 000015
【図１４】
2007534346.tif 000016
【手続補正書】
【提出日】平成17年5月2日(2005.5.2)
【手続補正１】
【補正対象書類名】特許請求の範囲
【補正対象項目名】全文
【補正方法】変更
【補正の内容】
【特許請求の範囲】
【請求項１】
封入ブリスターパッケージであって、少なくとも一辺から開く平坦な外側ケース（１）と、該外側ケースに結合されるとともに少なくとも部分的に抜き出し可能な内側部品（２）とを有し、該内側部品（２）は、ベース（５）上に回転可能に嵌まるブリスターパッケージとして形成されるディスク（７）を備え、前記ベース（５）は、前記ディスクの下に出口開口（９）を有することにより、前記ディスクを回転させることにより前記出口開口まで運ばれる製品（８）を、各ブリスター（１５）を押すことにより前記ディスクから解放して、前記出口開口を通してパッケージから取り出すことができることを特徴とする、封入ブリスターパッケージ。
【請求項２】
前記ケース（１）及び／又は前記内側部品（２）には、該内側部品（２）が前記ケースから外れることを防止するリテーナ（１１、１２）が設けられることを特徴とする、請求項１に記載の封入ブリスターパッケージ。
【請求項３】
前記ディスク（７）は、軟質プラスチックのブリスターシート（１３）と、押すことにより前記製品（８）が解放される際に破断する、箔紙等の軟質材料からできた底部（１４）とから成ることを特徴とする、請求項１又は２に記載の封入ブリスターパッケージ。
【請求項４】
前記ディスク（７）は、該ディスク（７）を回転させることにより一度に１つずつ前記ベース（５）の前記出口開口（９）まで運ぶことができるように円弧又は環を形成するよう配列される個々の製品（８）を収容することを特徴とする、先行する請求項のいずれか１項に記載の封入ブリスターパッケージ。
【請求項５】
前記製品（８）は、前記ディスク（７）に複数の同心円弧又は同心環として配列されることを特徴とする、請求項４に記載の封入ブリスターパッケージ。
【請求項６】
前記製品（８）は、前記ディスク（７）に螺旋として配列されることを特徴とする、請求項１ないし３のいずれか１項に記載の封入ブリスターパッケージ。
【請求項７】
前記ベース（５）には、前記ディスク（７）の半径方向に延びる縦長の出口開口（９）が設けられることを特徴とする、先行する請求項のいずれか１項に記載の封入ブリスターパッケージ。
【請求項８】
前記ディスク（７）及び／又は前記ベース（５）は、前記ディスク（７）を一方向のみに回転させる障害物を含むことを特徴とする、先行する請求項のいずれか１項に記載の封入ブリスターパッケージ。
【請求項９】
前記ディスク（７）は、前記製品（８）が充填されていない扇形部（１９）を含み、未開封のパッケージでは、前記扇形部（１９）は前記ベース（５）の前記出口開口（９）に位置付けられることを特徴とする、先行する請求項のいずれか１項に記載の封入ブリスターパッケージ。
【請求項１０】
前記ディスク（７）は、その中央部（６）から前記ベース（５）に接合されることを特徴とする、先行する請求項のいずれか１項に記載の封入ブリスターパッケージ。
【請求項１１】
前記抜き出し可能な内側部品（２）は、ベース（５）と、該ベース（５）の側部（１０）から前記ディスク（７）の上方に延びる、前記ディスク（７）を前記ベース（５）上の所定の位置に保持する突起（２０）とを備えることを特徴とする、請求項１ないし９のいずれか１項に記載の封入ブリスターパッケージ。
【請求項１２】
前記ディスク（７）は、指で回転させることができるように前記ベース（５）上に回転自在に載ることを特徴とする、請求項１１に記載の封入ブリスターパッケージ。
【請求項１３】
前記突起（２０）は、前記ディスク（７）の円周を囲む環状リム（２０）として形成されることを特徴とする、請求項１１又は１２に記載の封入ブリスターパッケージ。
【請求項１４】
前記リム（２０）は、前記ディスク（７）の中心に向かって延びる舌片（２４）を有し、前記ディスク（７）の１つのブリスター（１５）が前記リム（２０）の前記舌片の下に残ることを特徴とする、請求項１２に記載の封入ブリスターパッケージ。
【請求項１５】
前記リム（２０）は、前記舌片（２４）の側に少なくとも１つのフィン（２５）を有し、前記フィン（２５）は、前記ディスク（７）に向かって下方に向くとともに一方向のみに傾いていることにより、ブリスター（１５）と協働して、前記ディスクを一方向のみに回転させることを特徴とする、請求項８及び１４に記載の封入ブリスターパッケージ。
【請求項１６】
前記外側ケース（１）及び前記内側部品（２）の前記ベース（５）は、パッケージング用板紙からできていることを特徴とする、先行する請求項のいずれか１項に記載の封入ブリスターパッケージ。
【請求項１７】
錠剤（８）、カプセル剤、又は丸剤を収容する薬剤パッケージであることを特徴とする、先行する請求項のいずれか１項に記載の封入ブリスターパッケージ。
【国際調査報告】
2007534346.tif 000017
2007534346.tif 000018
2007534346.tif 000019